【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
少なくとも一対の差動信号端子を含む複数のデジタル信号端子と複数のアナログ信号端子とを有する複合コネクタと、
複数の前記デジタル信号端子および複数の前記アナログ信号端子が一列に並べられて接続される配線基板とを有し、
前記配線基板上で前記一対の差動信号端子の間に前記アナログ信号端子を配置しないように並べられるとともに、前記一対の差動信号端子以外の複数の前記デジタル信号端子の間には前記アナログ信号端子を配置することを特徴とする電子機器。
【請求項２】
前記複合コネクタは、前記アナログ信号端子として右音声信号端子と左音声信号端子とを有し、
前記配線基板上で前記右音声信号端子と前記左音声信号端子との間に前記デジタル信号端子を配置しないように並べられることを特徴とする請求項１記載の電子機器。
【請求項３】
前記複合コネクタは、前記アナログ信号端子として音声信号端子と画像信号端子を有し、
前記配線基板上で前記音声信号端子と前記画像信号端子との間に前記デジタル信号端子を配置しないように並べられること特徴とする請求項1記載の電子機器。
【請求項４】
前記複合コネクタは、前記アナログ信号端子として音声信号端子と画像信号端子を有するとともに、前記デジタル信号端子としてＵＳＢ規格におけるＩＤ端子を有し、
前記配線基板上で前記音声信号端子と前記画像信号端子との間に前記ＩＤ端子を配置することを特徴とする請求項１または２記載の電子機器。
【請求項５】
前記複合コネクタは、前記デジタル信号端子としてＵＳＢ規格におけるＩＤ端子を有し、
前記電子機器が前記ＩＤ端子を使用しない場合には、前記ＩＤ端子は前記配線基板上で電気的に他の信号と導通しないことを特徴とする請求項１、２及び４のうちいずれか１項記載の電子機器。
【請求項６】
前記複合コネクタは、前記アナログ信号端子として前記複合コネクタに挿抜されるプラグの抜き差しを検知するためのプラグ差し込み検知端子を有し、
前記プラグ差し込み検知端子は、前記アナログ信号端子のなかで一番外側に配置されることを特徴とする請求項１乃至５のうちいずれか１項記載の電子機器。
【請求項７】
前記複合コネクタは、前記アナログ信号端子としてグランド端子を有し、
前記グランド端子は、前記配線基板上に一列に並べられた前記アナログ信号端子のなかで一番外側に配置され、
前記グランド端子と前記プラグ差し込み検知端子が接続されることにより、プラグの差し込みを検知することを特徴とする請求項６記載の電子機器。
【請求項８】
前記複合コネクタは、前記アナログ信号端子として画像信号端子とグランド端子を有し、
前記配線基板上で前記画像信号端子と前記グランド端子との間に、前記デジタル信号端子を配置しないように並べられることを特徴とする請求項１乃至７のうちいずれか１項記載の電子機器。
【請求項９】
前記複合コネクタは、前記デジタル信号端子としてＵＳＢ規格におけるＶｂｕｓ端子とＵＳＢ  グランド端子を有し、
前記配線基板上に一列に並べられた複数の前記デジタル信号端子および複数の前記アナログ信号端子の両端は、前記Ｖｂｕｓ端子と前記ＵＳＢ  グランド端子であることを特徴する請求項１乃至８のうちいずれか１項記載の電子機器。
【請求項１０】
前記配線基板上で、デジタル信号のグランドパターンとアナログ信号のグランドパターンは、分離されることを特徴とする請求項１乃至９のうちいずれか１項記載の電子機器。 
【請求項１１】
前記配線基板上で前記一対の差動信号端子が接続されるパターンは、ビアを使わずに配線されることを特徴とする請求項１乃至１０のうちいずれか１項記載の電子機器。
【請求項１２】
前記配線基板は、両面配線基板であり、
前記配線基板は、前記一対の差動信号端子が接続される差動信号パターンとグランドに接続されるグランドパターンを有し、
前記グランドパターンは、前記差動信号パターンを覆うように、前記差動信号パターンが配線された層とは反対側の層に配線され、
前記配線基板は、前記グランドパターンが電子機器の外装側になるように配置されることを特徴とする請求項１乃至１１のうちいずれか１項記載の電子機器。
【請求項１３】
配線基板に実装され、複数のアナログ信号端子と、少なくとも一対の差動信号端子を含む複数のデジタル信号端子とを有し、配線基板に実装される複合コネクタであって、
前記複合コネクタは、前記配線基板上で前記一対の差動信号端子の間に前記アナログ信号端子を配置しないように並べられるとともに、前記一対の差動信号端子以外の複数の前記デジタル端子の間には前記アナログ信号端子を配置することを特徴とする複合コネクタ。
【請求項１４】
前記複合コネクタは、前記アナログ信号端子として右音声信号端子と左音声信号端子とを有し、
前記配線基板上で前記右音声信号端子と前記左音声信号端子との間に前記デジタル信号端子を配置しないように並べられることを特徴とする請求項１３記載の複合コネクタ。
【請求項１５】
前記複合コネクタは、前記アナログ信号端子として音声信号端子と画像信号端子を有し、
前記配線基板上で前記音声信号端子と前記画像信号端子との間に前記デジタル信号端子を配置しないように並べられること特徴とする請求項１４記載の複合コネクタ。
【請求項１６】
前記複合コネクタは、前記アナログ信号端子として音声信号端子と画像信号端子を有するとともに、前記デジタル信号端子としてＵＳＢ規格におけるＩＤ端子を有し、
前記配線基板上で前記音声信号端子と前記画像信号端子との間に前記ＩＤ端子を配置することを特徴とする請求項１３または１４記載の複合コネクタ。
【請求項１７】
前記複合コネクタは、前記アナログ信号端子として前記複合コネクタに挿抜されるプラグの抜き差しを検知するためのプラグ差し込み検知端子を有し、
前記プラグ差し込み検知端子は、前記アナログ信号端子のなかで一番外側に配置されることを特徴とする請求項１３乃至１６のうちいずれか１項記載の複合コネクタ。
【請求項１８】
前記複合コネクタは、前記アナログ信号端子としてグランド端子を有し、
前記グランド端子は、前記配線基板上に一列に並べられた前記アナログ信号端子のなかで一番外側に配置され、
前記グランド端子と前記プラグ差し込み検知端子が接続されることにより、プラグの差し込みを検知することを特徴とする請求項１７記載の複合コネクタ。
【請求項１９】
前記複合コネクタは、前記アナログ信号端子として画像信号端子とグランド端子を有し、
前記配線基板上で前記画像信号端子と前記グランド端子との間に、前記デジタル信号端子を配置しないように並べられることを特徴とする請求項１３乃至１８のうちいずれか１項記載の複合コネクタ。
【請求項２０】
前記複合コネクタは、前記デジタル信号端子としてＵＳＢ規格におけるＶｂｕｓ端子とＵＳＢ  グランド端子を有し、
前記配線基板上に一列に並べられた複数の前記デジタル信号端子および複数の前記アナログ信号端子の両端は、前記Ｖｂｕｓ端子と前記ＵＳＢ  グランド端子であることを特徴する請求項１３乃至１９のうちいずれか１項記載の複合コネクタ。
【手続補正２】
【補正対象書類名】明細書
【補正対象項目名】発明の名称
【補正方法】変更
【補正の内容】
【発明の名称】複合コネクタおよびそれを備える電子機器
【手続補正３】
【補正対象書類名】明細書
【補正対象項目名】０００１
【補正方法】変更
【補正の内容】
【０００１】
本発明は、デジタルとアナログの信号が伝送される複合コネクタおよびそれを備える電子機器に関する。
【手続補正４】
【補正対象書類名】明細書
【補正対象項目名】０００９
【補正方法】変更
【補正の内容】
【０００９】
そこで本発明においては、デジタル信号とアナログ信号を伝送するコネクタを有する電子機器において、差動信号の品質を維持しながら他の信号への影響を少なくすることができる複合コネクタおよびそれを備える電子機器を提供することを目的とする。
【手続補正５】
【補正対象書類名】明細書
【補正対象項目名】００１０
【補正方法】変更
【補正の内容】
【００１０】
本発明の一側面としての電子機器は、少なくとも一対の差動信号端子を含む複数のデジタル信号端子と複数のアナログ信号端子とを有する複合コネクタと、複数の前記デジタル信号端子および複数の前記アナログ信号端子が一列に並べられて接続される配線基板とを有し、前記配線基板上で前記一対の差動信号端子の間に前記アナログ信号端子を配置しないように並べられるとともに、前記一対の差動信号端子以外の複数の前記デジタル信号端子の間には前記アナログ信号端子を配置することを特徴とする。
本発明の一側面としての複合コネクタは、配線基板に実装され、複数のアナログ信号端子と、少なくとも一対の差動信号端子を含む複数のデジタル信号端子とを有し、配線基板に実装される複合コネクタであって、前記複合コネクタは、前記配線基板上で前記一対の差動信号端子の間に前記アナログ信号端子を配置しないように並べられるとともに、前記一対の差動信号端子以外の複数の前記デジタル端子の間には前記アナログ信号端子を配置することを特徴とする。
【手続補正６】
【補正対象書類名】明細書
【補正対象項目名】００２６
【補正方法】変更
【補正の内容】
【００２６】
Ｄ＋端子１０４（第１のデジタル端子）、Ｄ−端子１０５（第２のデジタル端子）は、それぞれ差動信号のプラスとマイナスであるため、一対のペア配線が必要となる。そのため、引出し部１０４ｃにおいて、端子をＤ−端子１０５側に折り曲げ、レセプタクルコネクタ１００のピン配値において、Ｄ＋端子１０４の隣にＤ−端子１０５となるようにしている。ＵＳＢ端子群１０１とＡＶ端子群１０７をそれぞれまっすぐ交互に配置すると、Ｄ＋端子１０４、Ｄ−端子１０５の間にＡＶ信号である右音声信号端子１１１がきてしまう。しかし、Ｄ＋端子１０４と右音声信号端子１１１をレセプタクルコネクタ背面の引出し部１０４ｃで入れ替えることによりＤ＋端子１０４とＤ−端子１０５が並び、配線基板上で並走させることができる。また、Ｄ＋端子１０４とＤ−端子１０５の間にＡＶ信号がくることによる信号品質の低下や、ＡＶ信号に差動信号が影響を与えるのを抑えることができる。すなわち、一対の差動信号端子の間にアナログ端子（アナログ信号端子）を配置しないように並べられるとともに、一対の差動信号端子以外の複数のデジタル端子（デジタル信号端子）の間にはアナログ端子を配置している。
【手続補正７】
【補正対象書類名】図面
【補正対象項目名】図１
【補正方法】変更
【補正の内容】
【図１】
2009212009.tif 000001
【手続補正８】
【補正対象書類名】図面
【補正対象項目名】図３
【補正方法】変更
【補正の内容】
【図３】
2009212009.tif 000002
【手続補正９】
【補正対象書類名】図面
【補正対象項目名】図４
【補正方法】変更
【補正の内容】
【図４】
2009212009.tif 000003
【手続補正１０】
【補正対象書類名】図面
【補正対象項目名】図５
【補正方法】変更
【補正の内容】
【図５】
2009212009.tif 000004
【手続補正１１】
【補正対象書類名】図面
【補正対象項目名】図１３
【補正方法】変更
【補正の内容】
【図１３】
2009212009.tif 000005
【手続補正１２】
【補正対象書類名】図面
【補正対象項目名】図１４
【補正方法】変更
【補正の内容】
【図１４】
2009212009.tif 000006
【手続補正１３】
【補正対象書類名】図面
【補正対象項目名】図１５
【補正方法】変更
【補正の内容】
【図１５】
2009212009.tif 000007